(57)【要約】【課題】デザイン上の見た目に品位が高く、小型で操作性の良い撮像装置を提供する。【解決手段】ドーム状のレンズバリア１５の周縁部とビデオカメラ本体８の鏡筒外装７の被写体側の端部との間にある空間に、ビデオカメラの機能部品として、ポップアップストロボユニット１１、マイク（Ｒ）１２、マイク（Ｌ）１３からなるマイクユニット、およびセンサユニット１４を配置する。これらの機能部品は、鏡筒外装７と略同一面となるように配置される。また、鏡筒外装７の側面の両側に、マイク（Ｒ）１２とマイク（Ｌ）１３が配置される。【選択図】図１
2010156733.tif 000002
【特許請求の範囲】
【請求項１】
撮像レンズの前面に配置され、ドーム形状を有するレンズバリアと、前記撮像レンズおよび前記レンズバリアを光軸方向に収容する鏡筒外装とを備えた撮像装置において、
前記レンズバリアが閉じた状態において当該レンズバリアの周縁部よりもレンズバリアの中央部を対物側に位置するようにすることで、当該レンズバリアの周縁部と前記鏡筒外装の被写体側の端部との間にある空間に、前記撮像装置の機能部品を配置したことを特徴とする撮像装置。
【請求項２】
前記機能部品のカバーは、前記鏡筒外装と略同一面となるように形成されたことを特徴とする請求項１記載の撮像装置。
【請求項３】
前記レンズバリアは回動自在な複数のバリア羽を有し、
前記レンズバリアを開いた際に前記バリア羽が格納される受け部を前記周縁部に形成していることを特徴とする請求項１記載の撮像装置。
【請求項４】
前記機能部品はストロボユニットであることを特徴とする請求項１記載の撮像装置。
【請求項５】
前記ストロボユニットは前記鏡筒外装に対して突出位置あるいは収納位置に転回自在であり、前記鏡筒外装に収納された際、前記ストロボユニットのカバーは前記鏡筒外装と略同一面になるように形成されたことを特徴とする請求項４記載の撮像装置。
【請求項６】
前記機能部品はマイクユニットであることを特徴とする請求項１記載の撮像装置。
【請求項７】
前記マイクユニットのカバーは、前記鏡筒外装と略同一面となるように形成されたことを特徴とする請求項６記載の撮像装置。
【請求項８】
前記マイクユニットは、ステレオマイクとして両チャンネルのマイクエレメントを有し、前記両チャンネルのマイクエレメントは、互いの受音面が前記鏡筒外装の側面に対して外向きかつ前記撮像レンズの光軸に対して略平行となるように、配置されたことを特徴とする請求項６または７記載の撮像装置。
【請求項９】
前記機能部品は、オートフォーカス用のセンサユニットであり、前記センサユニットの受光方向が前記撮像レンズの光軸と略平行となるように、配置されたことを特徴とする請求項１記載の撮像装置。
【請求項１０】
レンズの前面に配置され、ドーム形状を有するレンズバリアと、前記レンズおよび前記レンズバリアを光軸方向に収容する鏡筒外装とを備えた、光学機器に用いられるレンズ装置であって、
前記レンズバリアが閉じた状態において当該レンズバリアの周縁部よりもレンズバリアの中央部を対物側に位置するようにすることで、当該レンズバリアの周縁部と前記鏡筒外装の被写体側の端部との間にある空間に、前記光学機器の機能部品を配置したことを特徴とするレンズ装置。
【発明の詳細な説明】
【技術分野】
【０００１】
本発明は、撮像レンズを保護するレンズバリアを備えた撮像装置及びレンズ装置に関する。
【背景技術】
【０００２】
近年、ビデオカメラの小型化は目覚ましく進んでおり、ビデオカメラ本体の大きさ（各面の投影面積）は減少する傾向にある。
【０００３】
一方、ビデオカメラの多機能化、高機能化が進み、ビデオカメラはさまざまな機能部品を具備する必要がある。例えば、静止画撮影用のストロボユニット、暗い所で被写体を照らすビデオライト、音声を記録するためのマイクロフォン、オートフォーカス用のセンサユニットなどのユニットである。これらのユニットは、性能上、ビデオカメラの前方かつ撮像レンズの近傍に配置される必要がある。
【０００４】
また、携帯時などの不使用時に、撮像レンズを保護する開閉可能なレンズバリアを撮像レンズ前面に設けたビデオカメラが知られている。ここで、従来のビデオカメラの一例として、撮像レンズにレンズバリアを備えたビデオカメラについて説明する。
【０００５】
図１０は従来の撮影状態におけるビデオカメラの外観を示す正面図である。撮影状態では、レンズバリアは開かれている。ビデオカメラは、その前面に、撮像レンズ１００、ストロボユニット１０１、マイクロフォン１０２、センサユニット１０３、ビデオライト１０４等を有する。
【０００６】
ストロボユニット１０１は、正面から見て、撮像レンズ１００の右側に配置される。音声を記録するためのマイクロフォン１０２は撮像レンズ１００の下側に配置される。また、ストロボユニット１０１の上側には、オートフォーカス用のセンサユニット１０３が配置される。また、ストロボユニット１０１とマイクロフォン１０２の間には、ビデオライト１０４が配置される。このように、さまざまな機能部品が撮像レンズ１００の周囲に配置されるので、ビデオカメラの正面はまことに煩雑で見苦しいものになっている。
【０００７】
図１１はビデオカメラの内部構成を示す断面図である。レンズバリア１０５は、撮像レンズ１００の前面に配置され、４枚羽１０５ａ、１０５ｂ、１０５ｃ、１０５ｄで構成される。ビデオカメラ前面の上方では、撮像レンズ側の羽１０５ａと被写体側の羽１０５ｂは、撮影時に重なるように、駆動装置（図示せず）によって上方の退避スペース１０６に移動し、撮像レンズ１００の撮影範囲から退避する。
【０００８】
同様に、ビデオカメラ前面の下方では、撮像レンズ側の羽１０５ｃと被写体側の羽１０５ｄは、撮影時に重なるように、駆動装置（図示せず）によって下方の退避スペース１０７に移動し、撮像レンズ１００の撮影範囲から退避する。
【０００９】
従って、撮像レンズ１００の近傍にマイクロフォン１０２を配置する場合、レンズバリア１０５の退避スペース１０７から十分に離した位置に配置しなければならない。
【００１０】
上記撮像装置に関連し、特許文献１には、撮像レンズの前面にドーム状に形成されたレンズバリアを備えた撮像装置が示されている。
【特許文献１】特開２００５−８４６０５号公報
【発明の開示】
【発明が解決しようとする課題】
【００１１】
しかしながら、上記従来のビデオカメラは、撮像レンズの周囲にストロボユニットやマイクロフォンなどの機能部品が配置されるので、デザイン上の見た目にまことに煩雑な感じを与えてしまう。さらに、ビデオカメラの前面が凸凹の形状となるために、携帯時に引っ掛かりが生じるおそれもある。
【００１２】
また、撮影時にビデオカメラを構えた場合、パーツの出っ張りが邪魔になり、ビデオカメラをしっかりとホールディングしながら撮影することが難しかった。
【００１３】
さらに、ストロボユニットやマイクロフォンを配置する場合、レンズバリアの退避スペースから十分に離した位置に配置しなければならず、ビデオカメラ装置の小型化と相反する要因となってしまうという問題もある。
【００１４】
また、特許文献１には、ドーム形状のレンズバリアの周辺部に撮像装置を構成するための部品を配置することに関する記述がない。
【００１５】
そこで、本発明は、上記の問題点に着目してなされたものであり、デザイン上の見た目に品位が高く、小型で操作性の良い撮像装置及びレンズ装置を提供することを目的とする。
【課題を解決するための手段】
【００１６】
上記目的を達成するために、本発明の撮像装置は、撮像レンズの前面に配置され、ドーム形状を有するレンズバリアと、前記撮像レンズおよび前記レンズバリアを光軸方向に収容する鏡筒外装とを備えた撮像装置において、前記レンズバリアが閉じた状態において当該レンズバリアの周縁部よりもレンズバリアの中央部を対物側に位置するようにすることで、当該レンズバリアの周縁部と前記鏡筒外装の被写体側の端部との間にある空間に、前記撮像装置の機能部品を配置したことを特徴とする。
【００１７】
また、本発明のレンズ装置は、レンズの前面に配置され、ドーム形状を有するレンズバリアと、前記レンズおよび前記レンズバリアを光軸方向に収容する鏡筒外装とを備えた、光学機器に用いられるレンズ装置であって、前記レンズバリアが閉じた状態において当該レンズバリアの周縁部よりもレンズバリアの中央部を対物側に位置するようにすることで、当該レンズバリアの周縁部と前記鏡筒外装の被写体側の端部との間にある空間に、前記光学機器の機能部品を配置したことを特徴とする。
【発明の効果】
【００１８】
本発明に係る撮像装置によれば、レンズバリアの周縁部と鏡筒外装の被写体側の端部との間にある空間に、撮像装置の機能部品を配置した。これにより、デザイン上の見た目に品位が高く、小型で操作性の良い撮像装置を提供することができる。
【発明を実施するための最良の形態】
【００１９】
本発明の撮像装置及びレンズ装置の実施の形態について図面を参照しながら説明する。本実施形態の撮像装置は、ドーム形状のレンズバリアを備えたビデオカメラに適用される。
【００２０】
図１は実施の形態における前方から視たビデオカメラの外観を示す斜視図である。図１には、レンズバリアを開いた状態が示されている。図２は後方から視たビデオカメラの外観を示す斜視図である。
【００２１】
ビデオカメラは、撮像レンズ１、この撮像レンズ１の横に配置され、撮影時のグリップとなるグリップ部２、およびビデオカメラ本体８の背面部に着脱可能に設けられ、ビデオカメラ本体８に電源を供給するバッテリパック３を有する。また、ビデオカメラは、ズームレバー４、トリガーボタン５、および撮像レンズ１の側方に配置された映像表示装置６を有する。映像表示装置６の側辺部６ａは、ビデオカメラ本体８に対し、二軸のヒンジ機構（図示せず）によって回転可能に連結されている。
【００２２】
また、ビデオカメラには、撮像レンズ１を保護するレンズ鏡筒を覆うように、撮像レンズ１の光軸中心と同心円で、その先端部にフィルタネジ１０が形成された鏡筒外装７が設けられている。鏡筒外装７は、撮像レンズ１、後述するレンズバリア１５（図３参照）等を光軸方向に収容する。また、鏡筒外装７の斜め下方には、円筒形状のフォーカスダイヤル９が設けられている。マニュアルフォーカスモード時にフォーカスダイヤル９を回転させると、フォーカス位置を任意に設定することができる。
【００２３】
また、鏡筒外装７の上部には、収納時に鏡筒外装７と略同一面となるように、ポップアップストロボユニット１１が収納されている。さらに、鏡筒外装７の横方向には、撮像レンズ１の光軸と水平、かつ鏡筒外装７と略同一面となるように、マイク（Ｒ）１２およびマイク（Ｌ）１３が配置されている。すなわち、ビデオカメラの正面から見て、マイク（Ｒ）１２で右側の音、マイク（Ｌ）１３で左側の音を集音するように、マイク（Ｒ）１２とマイク（Ｌ）１３はステレオマイク構造となっている。なお、添え字の（Ｒ）、（Ｌ）は他の部材においても、右側、左側であることを示す。
【００２４】
また、鏡筒外装７の下方で撮像レンズ１の前方、かつ鏡筒外装７に形成されたフィルタネジ１０の内側には、オートフォーカス用のセンサユニット１４が、その受光方向と撮像レンズ１の光軸とが略並行になるように、設けられている。
【００２５】
このように、ビデオカメラを構成する上で、必要なポップアップストロボユニット１１、マイク（Ｒ）１２、マイク（Ｌ）１３およびセンサユニット１４の各ユニットは、鏡筒外装７から出っ張ることなく、デザイン上の見栄えが良い。また、鏡筒外装７からの出っ張りが無いので、引っ掛かりが生じるおそれもなく、これらのユニットはビデオカメラを操作する上で邪魔にならない。
【００２６】
つぎに、ビデオカメラにおけるレンズバリアの具体的な構成の一例を示す。図３は左前方から視た、閉じた状態のレンズバリア１５の構成を示す斜視図である。図４は右前方から視た、閉じた状態のレンズバリア１５の構成を示す斜視図である。図５は左前方から視た、開いた状態のレンズバリア１５の構成を示す斜視図である。図６は右前方から視た、開いた状態のレンズバリア１５の構成を示す斜視図である。
【００２７】
レンズバリア１５は、上方に位置する撮像レンズ側のバリア羽１５ａ、被写体側のバリア羽１５ｂ、下方に位置する撮像レンズ側のバリア羽１５ｃおよび被写体側のバリア羽１５ｄからなる、ドーム状に形成された回動自在な４枚バリア羽で構成されている。
【００２８】
上方に位置するバリア羽１５ａ、１５ｂは、その両側の先端部に設けられた、撮像レンズ１の光軸に直交する回転軸１７ａおよび回転軸１７ｂとそれぞれ回転可能に連結されている。さらに、被写体側のバリア羽１５ｂにはガイド穴１５ｅが形成され、このガイド穴１５ｅに係合するピン１５ｆが撮像レンズ側のバリア羽１５ａに設けられている。
【００２９】
また、下方に位置するバリア羽１５ｃ、１５ｄも、同様に、その両側の先端部に設けられた、撮像レンズ１の光軸に直交する回転軸１７ｃおよび回転軸１７ｄとそれぞれ回転可能に連結されている。さらに、被写体側のバリア羽１５ｄには、ガイド穴１５ｇが形成され、このガイド穴１５ｇに係合するピン１５ｈが撮像レンズ側のバリア羽１５ｃに設けられている。
【００３０】
また、駆動装置１６には、バリア羽１５ｂに形成された駆動穴１５ｊと係合する駆動ピン１６ａ、およびバリア羽１５ｄに形成された駆動穴１５ｋと係合する駆動ピン１６ｂが設けられている。
【００３１】
レンズバリア１５を開く場合、駆動装置１６の駆動ピン１６ａが回転軸１７ａを回転中心として図中矢印Ａ方向に回転すると、駆動穴１５ｊと駆動ピン１６ａの係合により、バリア羽１５ｂは、回転軸１７ａと回転軸１７ｂを回転中心として上方に回転する。
【００３２】
このとき、バリア羽１５ｂが所定の角度だけ回転すると、バリア羽１５ｂに形成されたガイド穴１５ｅの端部にバリア羽１５ａに設けられたピン１５ｆが係合し、バリア羽１５ｂの回転と連動し、バリア羽１５ａが回転する。これにより、バリア羽１５ａとバリア羽１５ｂは重なるように、撮像レンズ１の撮影範囲から上方に退避する。
【００３３】
また、下方におけるバリア羽１５ｃ、１５ｄについても同様である。すなわち、駆動装置１６の駆動ピン１６ｂが回転軸１７ｃを回転中心として図中矢印Ｂ方向に回転すると、駆動穴１５ｋと駆動ピン１６ｂの係合により、バリア羽１５ｄは、回転軸１７ｃと回転軸１７ｄを回転中心として下方に回転する。
【００３４】
このとき、バリア羽１５ｄが所定の角度だけ回転すると、バリア羽１５ｄに形成されたガイド穴１５ｇの端部にバリア羽１５ｃに設けられたピン１５ｈが係合し、バリア羽１５ｄの回転と連動し、バリア羽１５ｃが回転する。これにより、バリア羽１５ｃとバリア羽１５ｄは重なるように、撮像レンズ１の撮影範囲から下方に退避する。
【００３５】
このとき、後述する図７、図８に示すように、レンズ鏡筒２１には、バリア羽１５ａ、およびバリアレンズ１５の中央部にあるバリア羽１５ｂが格納される受け部２１ａがバリアレンズ１５の周縁部に形成されている。この受け部２１ａは、バリア１５ａの裏面の面から、駆動に必要なわずかな隙間分オフセットした形状を有する。同様に、レンズ鏡筒２１には、バリア羽１５ｃ、およびバリアレンズ１５の中央部にあるバリア羽１５ｄが格納される受け部２１ｂがバリアレンズ１５の周縁部に形成されている。この受け部２１ｂは、バリア１５ｃの裏面の面から、駆動に必要なわずかな隙間分オフセットした形状を有する。受け部２１ａ、２１ｂは、バリア閉状態において、レンズバリアに加えられた静圧荷重を受けることができる。
【００３６】
つぎに、ビデオカメラ内部の具体的な構成の一例を説明する。図７はレンズバリア１５を閉じた状態かつポップアップストロボユニット１１を収納した状態で、ビデオカメラ本体８における鏡筒外装７部分の内部構成を示す断面図である。図８はレンズバリア１５を開いた状態かつポップアップストロボユニット１１の使用状態で、ビデオカメラ本体８における鏡筒外装７部分の内部構成を示す断面図である。図７、図８では、ビデオカメラ本体の垂直方向における断面が示されている。
【００３７】
鏡筒外装７の上部に配置されたポップアップストロボユニット１１には、ワイヤ（図示せず）でビデオカメラ本体８の電気信号処理回路（図示せず）に接続されたキセノン管１１ａが設けられている。電気信号処理回路から所定の電圧がキセノン管１１ａに印加されると、管内に放電が発生し、キセノン管１１ａが発光する。
【００３８】
キセノン管１１ａの後側には、反射板１１ｂが設けられ、前側にはフレネルレンズ１１ｃが設けられている。キセノン管１１ａからの光は、反射板１１ｂで前側に反射され、フレネルレンズ１１ｃで所定の範囲に配光される。
【００３９】
本実施形態では、図７で示したように、レンズバリア１５が閉じた状態において、バリアレンズ１５の中央部にあるバリア羽１５ｂ、バリア羽１５ｄを受け部２１ａ、２１ｂよりも対物側になるように設ける。このことによって、当該バリア１５ｂ、１５ｄ、受け部２１ａ、２１ｂ、および鏡筒外装７とによって囲まれるスペース（以下、レンズバリア１５の周縁部と鏡筒外装７の被写体側の端部が為す空間ともいう）を設けることができる。当該スペースを有効に使うことでビデオカメラ本体８全体として小型化を達成することができるものである。特に、当該空間は、撮像レンズ１の形状に合わせているため、より広くすることができる。
【００４０】
ポップアップストロボユニット１１の収納時、ドーム状のレンズバリア１５の周縁部と鏡筒外装７の被写体側の端部との間にある空間には、ポップアップストロボユニット１１の一部が納められている。このとき、ポップアップストロボユニット１１のストロボカバー１１ｆは、鏡筒外装７と略同一面となっている。
【００４１】
さらに、ビデオカメラ本体８には、回転軸１１ｅが設けられており、ポップアップストロボユニット１１は、回転軸１１ｅを中心に、ビデオカメラ本体８に回転可能に連結されている。ポップアップストロボユニット１１は、その使用時、ポップアップ機構（図示せず）により、フレネルレンズ１１ｃの配光角が撮像レンズ１の光軸方向に対して所定の角度となるまで、撮像レンズ１の光軸方向に対して垂直方向に回転する。
【００４２】
このように、ポップアップストロボユニット１１は、鏡筒外装７に対して突出位置（図８参照）と収納位置（図７参照）とに転回自在であり、鏡筒外装７に収納された際、ストロボユニットのカバーが鏡筒外装７と略同一面となるように形成されている。
【００４３】
また、鏡筒外装７の下部に配置されたセンサユニット１４には、フレキシブケーブル（図示せず）により、ビデオカメラ本体８の電気信号処理回路（図示せず）に接続されたセンサ１４ａが設けられている。
【００４４】
センサ１４ａの前側には、レンズ１４ｂ、およびその前方にセンサ窓１４ｃが設けられている。センサユニット１４は、受光方向が撮像レンズ１の光軸と略並行になるように、ドーム状のレンズバリア１５の周縁部と鏡筒外装７の被写体側の端部との間にある空間に納められている。
【００４５】
図９はビデオカメラ本体８における鏡筒外装７部分の内部構成を示す断面図である。図９には、ビデオカメラ本体８の水平方向における断面が示されている。鏡筒外装７の両側には、マイク（Ｒ）１２とマイク（Ｌ）１３が配置されている。両チャンネル用のマイクエレメント（Ｒ）１２ａおよびマイクエレメント（Ｌ）１３ａは、互いの受音面１２ｂ、１３ｂが外側の面方向となるように、それぞれのマイクゴム１２ｃ、１３ｃに圧入されている。すなわち、両チャンネルのマイクエレメント１２ａ、１３ａは、互いの受音面が鏡筒外装７の側面に対して外向きかつ撮像レンズ１の光軸に対して略平行となるように、配置されている。また、マイクエレメント（Ｒ）１２ａとマイクエレメント（Ｌ）１３ａの前面には、多数の貫通穴が設けられたマイクカバー１２ｄ、１３ｄが設けられている。
【００４６】
ドーム状のレンズバリア１５の周縁部と鏡筒外装７の被写体側の端部との間にある空間に、マイク（Ｒ）１２およびマイク（Ｌ）１３は納められている。このとき、マイク（Ｒ）１２およびマイク（Ｌ）１３にそれぞれ設けられたマイクカバー１２ｄ、１３ｄは、鏡筒外装７と略同一面となっている。
【００４７】
このような構成により、ビデオカメラ本体８を大きくすること無く、マイク（Ｒ）１２とマイク（Ｌ）１３を十分に離間することができる。従って、ステレオ感（臨場感）のある音を採ることができる。
【００４８】
本実施形態の撮像装置によれば、ドーム状のレンズバリア１５の周縁部とビデオカメラ本体８の鏡筒外装７の被写体側の端部との間にある空間に、ビデオカメラの機能部品を配置する。機能部品として、ポップアップストロボユニット１１、マイク（Ｒ）１２、マイク（Ｌ）１３からなるマイクユニット、およびセンサユニット１４が配置される。さらに、これらの機能部品のカバーは、鏡筒外装と略同一面となるように形成される。これにより、デザイン上の見た目に品位が高く、小型で操作性の良いビデオカメラを提供することができる。
【００４９】
また、鏡筒外装７の両側には、マイク（Ｒ）１２とマイク（Ｌ）１３が配置されるので、ステレオマイクとした際、ビデオカメラ本体を大型化することなく、両チャンネルのマイクエレメントを離して配置することができる。従って、両チャンネルがセパレート化され、ステレオ感（臨場感）のある音を採ることができる。
【００５０】
また、レンズバリアを閉じた際、複数の羽が格納される受け部はレンズバリアの周縁部に形成されるので、受け部の前方の空間を有効に利用することができる。
【００５１】
また、ストロボユニットを有効に配置することができる。また、ストロボユニットのカバーを鏡筒外装と略同一面になるように形成するので、ストロボユニットが邪魔にならず、見た目の品位および操作性が向上する。
【００５２】
また、マイクユニットを有効に配置することができる。また、マイクユニットのカバーを鏡筒外装と略同一面になるように形成するので、ストロボユニットが邪魔にならず、見た目の品位および操作性が向上する。また、センサユニットを有効に配置することができる。
【００５３】
なお、本発明は、上記実施形態の構成に限られるものではなく、特許請求の範囲で示した機能、または本実施形態の構成が持つ機能が達成できる構成であればどのようなものであっても適用可能である。
【００５４】
例えば、上記実施形態では、機能部品として、ストロボユニット、マイクユニット、センサユニットを例に挙げたが、特にこれらのユニットに限定されるものではなく、例えば暗い所で被写体を照らすビデオライトなどであってもよい。
【００５５】
また、上記実施形態では、ビデオカメラの正位置に対し、上下にバリア群が開閉する構造を示したが、本発明は、これに限定されず、例えば、左右にバリア群が開閉する構造にも同様に適用できる。
【００５６】
また、上記実施形態では、撮像装置として、ビデオカメラを例に挙げて説明したが、本発明は、フイルムカメラ、デジタルビデオカメラ、デジタルＳＬＲ（一眼レフカメラ）等にも適用可能である。また、本発明は、上記撮像装置に限らず、監視装置、望遠鏡、顕微鏡など各種の光学機器に適用することも可能である。
【００５７】
また、上記実施形態では、鏡筒外装は、ビデオカメラとしてビデオカメラ本体と一体に組み付けられていたが、鏡筒外装を有するレンズ装置として、撮像装置等の光学機器の本体に対して交換自在に装着されるものであってもよい。
【図面の簡単な説明】
【００５８】
【図１】実施の形態における前方から視たビデオカメラの外観を示す斜視図である。
【図２】後方から視たビデオカメラの外観を示す斜視図である。
【図３】左前方から視た、閉じた状態のレンズバリア１５の構成を示す斜視図である。
【図４】右前方から視た、閉じた状態のレンズバリア１５の構成を示す斜視図である。
【図５】左前方から視た、開いた状態のレンズバリア１５の構成を示す斜視図である。
【図６】右前方から視た、開いた状態のレンズバリア１５の構成を示す斜視図である。
【図７】レンズバリア１５を閉じた状態かつポップアップストロボユニット１１を収納した状態で、ビデオカメラ本体８における鏡筒外装７部分の内部構成を示す断面図である。
【図８】レンズバリア１５を開いた状態かつポップアップストロボユニット１１の使用状態で、ビデオカメラ本体８における鏡筒外装７部分の内部構成を示す断面図である。
【図９】ビデオカメラ本体８における鏡筒外装７部分の内部構成を示す断面図である。
【図１０】従来の撮影状態におけるビデオカメラの外観を示す正面図である。
【図１１】ビデオカメラの内部構成を示す断面図である。
【符号の説明】
【００５９】
１  撮像レンズ
７  鏡筒外装
８  ビデオカメラ本体
１１  ポップアップストロボユニット
１２、１３  マイク
１２ａ、１３ａ  マイクエレメント
１４  センサユニット
１５  レンズバリア
【図１】
2010156733.tif 000003
【図２】
2010156733.tif 000004
【図３】
2010156733.tif 000005
【図４】
2010156733.tif 000006
【図５】
2010156733.tif 000007
【図６】
2010156733.tif 000008
【図７】
2010156733.tif 000009
【図８】
2010156733.tif 000010
【図９】
2010156733.tif 000011
【図１０】
2010156733.tif 000012
【図１１】
2010156733.tif 000013